(57)【要約】【課題】被検査機器であるデジタルオーディオ機器で入出力されるデジタルオーディオ信号の誤り検査を、特定の長さのサンプル単位で容易に行えるようなデジタルオーディオデータ検査装置を提供する。【解決手段】デジタルオーディオデータ検査装置１は、試験信号発生手段３によって、特定の試験信号パターンを繰り返し発生させ、デジタルオーディオ信号として、被検査機器２で収録・再生し、サンプルデータ同期手段７によって、その再生されたサンプルデータを、試験信号パターンに同期させたサンプルパターンとし、サンプルデータ比較手段８によって、サンプルパターンと試験信号パターンとの比較を行うことを特徴とする。【選択図】      図１
2005018818.tif 000002
【特許請求の範囲】
【請求項１】
デジタルオーディオ信号を入出力する被検査機器の特性検査を行うデジタルオーディオデータ検査装置であって、
特定の試験信号パターンを繰り返し発生させる試験信号発生手段と、
この試験信号発生手段が発生した試験信号パターンを、前記デジタルオーディオ信号に変調して前記被検査機器に入力するデジタルオーディオ信号変調手段と、
このデジタルオーディオ信号変調手段により入力されたデジタルオーディオ信号を前記被検査機器が再生して再生デジタルオーディオ信号とし、この再生デジタルオーディオ信号を検査用のサンプルデータとして復調するデジタルオーディオ信号復調手段と、
このデジタルオーディオ信号復調手段で復調されたサンプルデータを記憶するサンプルデータ記憶手段と、
このサンプルデータ記憶手段に記憶された前記サンプルデータを、前記試験信号発生手段が発生させた前記試験信号パターンに同期させて、サンプルパターンとして出力するサンプルデータ同期手段と、
このサンプルデータ同期手段で前記試験信号パターンに同期して出力される前記サンプルパターンと、前記試験信号パターンとを比較して一致／不一致を判定するサンプルデータ比較手段と、
このサンプルデータ比較手段の判定結果を出力する出力手段と、
を備えることを特徴とするデジタルオーディオデータ検査装置。
【請求項２】
前記サンプルデータ同期手段は、前記サンプルデータにおいて、前記試験信号パターンと相互相関関数の値が最も高くなるパターンをサンプルパターンとして特定し、そのサンプルパターンを、前記試験信号パターンと同期させて出力することを特徴とする請求項１に記載のデジタルオーディオデータ検査装置。
【請求項３】
前記サンプルデータ同期手段は、前記サンプルデータにおいて、前記試験信号パターンと残差の二乗和が最小となるパターンをサンプルパターンとして特定し、そのサンプルパターンを、前記試験信号パターンと同期させて出力することを特徴とする請求項１に記載のデジタルオーディオデータ検査装置。
【請求項４】
予め特定の試験信号パターンのデジタルオーディオ信号を繰り返して記録した記録媒体を被検査機器で再生することで、前記被検査機器の特性検査を行うデジタルオーディオデータ検査装置であって、
前記試験信号パターンを繰り返し発生させる試験信号発生手段と、
前記被検査機器が前記記録媒体を再生した再生デジタルオーディオ信号を、検査用のサンプルデータとして復調するデジタルオーディオ信号復調手段と、
このデジタルオーディオ信号復調手段で復調されたサンプルデータを記憶するサンプルデータ記憶手段と、
このサンプルデータ記憶手段に記憶された前記サンプルデータを、前記試験信号発生手段が発生させた前記試験信号パターンに同期させて、サンプルパターンとして出力するサンプルデータ同期手段と、
このサンプルデータ同期手段で前記試験信号パターンに同期して出力される前記サンプルパターンと、前記試験信号パターンとを比較して一致／不一致を判定するサンプルデータ比較手段と、
このサンプルデータ比較手段の判定結果を出力する出力手段と、
を備えることを特徴とするデジタルオーディオデータ検査装置。
【請求項５】
デジタルオーディオ信号を入出力する被検査機器の特性検査を行うデジタルオーディオデータ検査方法であって、
前記被検査機器へ入力される前記デジタルオーディオ信号の特定の試験信号パターンと、前記被検査機器から前記試験信号パターンを再生して出力される前記デジタルオーディオ信号のサンプルパターンとを比較することで、前記被検査機器の特性検査を行うことを特徴とするデジタルオーディオデータ検査方法。
【請求項６】
デジタルオーディオ信号を入出力する被検査機器の特性検査を行うデジタルオーディオデータ検査方法であって、
特定の試験信号パターンを繰り返し発生させる試験信号発生ステップと、
この試験信号発生ステップで発生した試験信号パターンを、前記デジタルオーディオ信号に変調して前記被検査機器に入力するデジタルオーディオ信号変調ステップと、
このデジタルオーディオ信号変調ステップで入力されたデジタルオーディオ信号を前記被検査機器が再生して再生デジタルオーディオ信号とし、この再生デジタルオーディオ信号を検査用のサンプルデータとして復調するデジタルオーディオ信号復調ステップと、
このデジタルオーディオ信号復調ステップで復調されたサンプルデータを、前記試験信号パターンに同期させて、サンプルパターンとして出力するサンプルデータ同期ステップと、
このサンプルデータ同期ステップで前記試験信号パターンに同期して出力される前記サンプルパターンと、前記試験信号パターンとを比較して一致／不一致を判定するサンプルデータ比較ステップと、
を含んでいることを特徴とするデジタルオーディオデータ検査方法。
【発明の詳細な説明】
【０００１】
【発明の属する技術分野】
本発明は、デジタルオーディオ機器に入出力されるデジタルオーディオ信号の特性検査を行うデジタルオーディオデータ検査装置及びその方法に関する。
【０００２】
【従来の技術】
従来のデジタルオーディオデータ検査装置は、デジタルオーディオインタフェースの規格に準拠したデジタルオーディオ信号の電圧やジッタ等を物理的に測定したり、パリティビットやチャンネルステータス等の補助情報を検査したりすることはできるが、音声データ（デジタルオーディオ信号のデータ）が正常に転送されているか否かを特定間隔のサンプル単位で検査することはできない。そのため、音声データがデジタルオーディオ機器に正常に入出力されているかどうか、あるいは、正常に収録されているかどうかを検査するためには、次のようなステップ（第１〜第４ステップ）による作業が必要となる。
【０００３】
（第１ステップ）デジタルオーディオワークステーション（以下、ＤＡＷと略す）等で試験信号の入力データファイルを生成する。
（第２ステップ）被検査機器（つまり、デジタルオーディオ機器）をオーディオインタフェースによってＤＡＷに接続して、試験信号の入力データファイルをＤＡＷで再生して被検査機器へ出力する。
（第３ステップ）被検査機器の出力信号をＤＡＷで収録して出力データファイルを生成する。
（第４ステップ）第１ステップで生成した入力データファイルの内容と、第３ステップで生成した出力データファイルの内容とを入出力の時間差を考慮して計算機上で比較し、全ての入力データファイルの内容が出力データファイルの内容に含まれているか否かをチェックする。
以上の各ステップによって、デジタルオーディオ機器で音声データが正常に入出力されているかを確認することができる。
【０００４】
また、特許文献１に、デジタルオーディオインタフェースの規格に準拠したデジタルオーディオ信号の検査装置に関する技術が開示されている。この技術は、ＰＬＬ装置を設けてＩＥＥＥ９５８デジタルオーディオ信号をＰＬＬ同期させ、ＰＬＬロック状態を確認することにより、ＩＥＥＥ９５８デジタルオーディオインタフェースにおける入出力信号の同期状態を自己検査するようにしたものである。すなわち、ＩＥＥＥ９５８デジタルオーディオ信号をＰＬＬ装置でロックさせ、その信号のプリアンブルパターンが正規の位置に来ているか否かを所定のタイマ毎にチェックすることにより、ＩＥＥＥ９５８デジタルオーディオインタフェースにおける入出力信号の同期状態を確認している。
【０００５】
【特許文献１】
特開２００２−０７４８２３号公報（段落番号００１１〜００２０、図１〜３）
【０００６】
【発明が解決しようとする課題】
しかしながら、従来のデジタルオーディオデータ検査装置においては、音声データがデジタルオーディオインタフェースを介して正常な信号で被検査機器（デジタルオーディオ機器）へ入出力されているか、あるいは被検査機器（デジタルオーディオ機器）へ正常に収録されているか等を、サンプル単位で検査するためには、ＤＡＷ、計算機等の複数の機器を用いる必要がある。
【０００７】
このため、デジタルオーディオデータ検査装置の規模が大きくなり、検査設備のコストが高くなってしまう。さらに、入力データファイルと出力データファイルとの照合を検査員が手動で行わなければならず、デジタルオーディオデータ検査装置の使い勝手は極めて悪いものであった。
【０００８】
また、前記の特許文献１で開示された技術においても、デジタルオーディオインタフェースで正常なデジタルオーディオ信号が入出力されているか否かをチェックするためには、ＰＬＬ装置、タイマカウント回路等を設けなければならない等、依然として検査装置の規模が大きくなる問題は解消されていない。
【０００９】
本発明は、以上のような問題点に鑑みてなされたものであり、デジタルオーディオ機器で入出力されるデジタルオーディオ信号の誤り検査を、特定の長さのサンプル単位で容易に行えるようなデジタルオーディオデータ検査装置及びその方法を提供することを目的とする。
【００１０】
【課題を解決するための手段】
本発明は、前記目的を達成するために創案されたものであり、まず、請求項１に記載のデジタルオーディオデータ検査装置は、デジタルオーディオ信号を入出力する被検査機器の特性検査を行うデジタルオーディオデータ検査装置であって、試験信号発生手段と、デジタルオーディオ信号変調手段と、デジタルオーディオ信号復調手段と、サンプルデータ記憶手段と、サンプルデータ同期手段と、サンプルデータ比較手段と、出力手段とを備える構成とした。
【００１１】
かかる構成によれば、デジタルオーディオデータ検査装置は、試験信号発生手段によって、特定の試験信号パターンを発生させる。この試験信号パターンは、デジタルオーディオ信号を検査するためのパターン信号であって、例えば、振幅の値が最大値から０まで１ずつ小さくなるようなパターンとすることで、デジタルオーディオ信号を量子化したビットを全て検査することが可能になる。そして、デジタルオーディオデータ検査装置は、デジタルオーディオ信号変調手段によって、試験信号パターンを変調して生成したデジタルオーディオ信号を被検査機器（デジタルオーディオ機器）へ入力する。そして、被検査機器が、このデジタルオーディオ信号を再生、あるいは収録後再生する。
【００１２】
ここで、デジタルオーディオデータ検査装置は、デジタルオーディオ信号復調手段によって、被検査機器で再生されたデジタルオーディオ信号（再生デジタルオーディオ信号）を復調することで、検査用のサンプルデータを生成する。このサンプルデータは、一旦サンプルデータ記憶手段に記憶しておく。なお、このサンプルデータは、被検査機器の入出力が正常であれば、試験信号パターンが繰り返されたデータとなる。
【００１３】
そして、デジタルオーディオデータ検査装置は、サンプルデータ同期手段によって、サンプルデータ記憶手段に記憶されたサンプルデータを、試験信号発生手段が発生させた試験信号パターンに同期させて、サンプルパターンとして出力する。すなわち、サンプルデータ記憶手段は、サンプルデータ同期手段が同期処理を行うためのバッファとなるものである。そして、デジタルオーディオデータ検査装置は、サンプルデータ比較手段によって、サンプルパターンと試験信号パターンとを比較照合し、その照合結果を、出力手段を介して表示装置へ出力する。
【００１４】
これにより、比較照合結果の一致／不一致に基づいて、被検査機器のデジタルオーディオ信号が誤りなく入出力されているか否か、あるいはデジタルオーディオ信号が正常に収録されているか否かを、デジタルオーディオ信号の固有長のサンプル単位で検査することができる。
【００１５】
また、請求項２に記載のデジタルオーディオデータ検査装置は、請求項１に記載のデジタルオーディオデータ検査装置において、前記サンプルデータ同期手段が、前記サンプルデータにおいて、前記試験信号パターンと相互相関関数の値が最も高くなるパターンをサンプルパターンとして特定し、そのサンプルパターンを、前記試験信号パターンと同期させて出力する構成とした。
【００１６】
かかる構成によれば、デジタルオーディオデータ検査装置は、サンプルデータの中から試験信号パターンと相互相関関数の値が最も高くなるパターンをサンプルパターンとして特定する。これによって、試験信号発生手段で発生した試験信号パターンと、サンプルパターンとが時間的にずれていても、そのずれを補正して同期させることができる。これによって、サンプルデータ比較手段が、サンプルパターン単位でデータの比較を行うことが可能になる。
【００１７】
さらに、請求項３に記載のデジタルオーディオデータ検査装置は、請求項１に記載のデジタルオーディオデータ検査装置において、前記サンプルデータ同期手段は、前記サンプルデータにおいて、前記試験信号パターンと残差の二乗和が最小となるパターンをサンプルパターンとして特定し、そのサンプルパターンを、前記試験信号パターンと同期させて出力する構成とした。
【００１８】
かかる構成によれば、デジタルオーディオデータ検査装置は、サンプルデータの中から試験信号パターンに対して、残差の二乗和が最小となるパターンをサンプルパターンとして特定する。
【００１９】
また、請求項４に記載のデジタルオーディオデータ検査装置は、予め特定の試験信号パターンのデジタルオーディオ信号を繰り返して記録した記録媒体を被検査機器で再生することで、前記被検査機器の特性検査を行うデジタルオーディオデータ検査装置であって、試験信号発生手段と、デジタルオーディオ信号復調手段と、サンプルデータ記憶手段と、サンプルデータ同期手段と、サンプルデータ比較手段と、出力手段とを備える構成とした。
【００２０】
かかる構成によれば、デジタルオーディオデータ検査装置は、試験信号発生手段によって、特定の試験信号パターンを発生させる。この試験信号パターンは、デジタルオーディオ信号を検査するためのパターン信号である。そして、被検査機器が、試験信号パターンのデジタルオーディオ信号を繰り返して記録した記録媒体を再生する。
【００２１】
ここで、デジタルオーディオデータ検査装置は、デジタルオーディオ信号復調手段によって、被検査機器で再生されたデジタルオーディオ信号（再生デジタルオーディオ信号）を復調することで、検査用のサンプルデータを生成する。このサンプルデータは、一旦サンプルデータ記憶手段に記憶しておく。
【００２２】
そして、デジタルオーディオデータ検査装置は、サンプルデータ同期手段によって、サンプルデータ記憶手段に記憶されたサンプルデータを、試験信号発生手段が発生させた試験信号パターンに同期させて、サンプルパターンとして出力する。そして、デジタルオーディオデータ検査装置は、サンプルデータ比較手段によって、サンプルパターンと試験信号パターンとを比較照合し、その照合結果を、出力手段を介して表示装置へ出力する。
【００２３】
さらに、請求項５に記載のデジタルオーディオデータ検査方法は、デジタルオーディオ信号を入出力する被検査機器の特性検査を行うデジタルオーディオデータ検査方法であって、前記被検査機器へ入力される前記デジタルオーディオ信号の特定の試験信号パターンと、前記被検査機器から前記試験信号パターンを再生して出力される前記デジタルオーディオ信号のサンプルパターンとを比較することで、前記被検査機器の特性検査を行うことを特徴とする。
【００２４】
この方法によれば、予め所定の試験信号パターンを発生させ、この試験信号パターンに基づいて生成されたデジタルオーディオ信号を、被検査機器であるデジタルオーディオ機器へ入力して再生又は収録する。そして、被検査機器から出力されたデジタルオーディオ信号をサンプリングし、このデジタルオーディオ信号のサンプルパターンと試験信号パターンとを比較照合することで、サンプル単位での検査が可能になる。
【００２５】
また、請求項６に記載のデジタルオーディオデータ検査方法は、デジタルオーディオ信号を入出力する被検査機器の特性検査を行うデジタルオーディオデータ検査方法であって、試験信号発生ステップと、デジタルオーディオ信号変調ステップと、デジタルオーディオ信号復調ステップと、サンプルデータ同期ステップと、サンプルデータ比較ステップとを含んでいることを特徴とする。
【００２６】
この方法によれば、まず、試験信号発生ステップで、特定の試験信号パターンを発生させる。そして、デジタルオーディオ信号変調ステップで、試験信号パターンを変調して生成したデジタルオーディオ信号を被検査機器（デジタルオーディオ機器）へ入力する。そして、被検査機器が、このデジタルオーディオ信号を再生、あるいは収録後再生する。
【００２７】
そして、デジタルオーディオ信号復調ステップで、被検査機器で再生されたデジタルオーディオ信号（再生デジタルオーディオ信号）を復調することで、検査用のサンプルデータを生成する。そして、サンプルデータ同期ステップで、サンプルデータを、試験信号発生手段が発生させた試験信号パターンに同期させて、サンプルパターンとして出力する。そして、サンプルデータ比較ステップで、サンプルパターンと試験信号パターンとを比較照合する。
【００２８】
これにより、比較照合結果の一致／不一致に基づいて、被検査機器のデジタルオーディオ信号が誤りなく入出力されているか否か、あるいはデジタルオーディオ信号が正常に収録されているか否かを、デジタルオーディオ信号のサンプル単位で検査することができる。
【００２９】
【発明の実施の形態】
以下、本発明の実施の形態について図面を参照して説明する。
（デジタルオーディオデータ検査装置の構成）
図１は、本発明における実施の形態であるデジタルオーディオデータ検査装置の構成を示すブロック図である。デジタルオーディオデータ検査装置１は、デジタルオーディオ収録・再生機器（被検査機器）２のデジタルオーディオ信号の入出力検査を行うものである。図１では、デジタルオーディオデータ検査装置１に、被検査機器２と、デジタルオーディオデータ検査装置１が検査したデジタルオーディオ信号の判定結果を表示する表示装置１０とを外部に接続している。ここでは、デジタルオーディオデータ検査装置１を、試験信号発生手段３、デジタルオーディオ信号変調手段４、デジタルオーディオ信号復調手段５、サンプルデータ記憶手段６、サンプルデータ同期手段７、サンプルデータ比較手段８及び出力手段９を備えて構成した。
【００３０】
試験信号発生手段３は、被検査機器２を検査するための入力信号の元となる試験信号パターンを発生させるものである。ここで発生させた試験信号パターンは、デジタルオーディオ信号変調手段４及びサンプルデータ同期手段７へ出力される。
【００３１】
なお、試験信号パターンは、以下に示す（条件１）〜（条件３）を満たすことが望ましい。
（条件１）試験信号パターンは、被検査機器２の量子化ビットの値を全て含むことが望ましい。これによって、被検査機器２のオーディオデータの取り得る信号の値を全て検査することができる。
（条件２）試験信号パターンの周期は、有限で、できるだけ短い方が望ましい。これによって、一定の周期に基づいて、素早く同期をとることができる。
（条件３）試験信号パターンには、直流成分を含まないか、あるいは直流成分が極めて短いことが望ましく、さらには、量子化ビットの平均値が０に近いことが望ましい。これによって、被検査機器２が直流成分を入出力しないような保護回路を有している機器であっても、検査を行うことができる。
【００３２】
そこで、試験信号パターンは、被検査機器２の量子化ビット数がＭであり、デジタルオーディオ信号のオーディオデータの取り得る信号の値の全てを検査することとし、振幅の値が最大値２Ｍ−１から０まで１ずつ小さくなるようなパターンとする。すなわち、試験信号パターンＳ１は（１）式で表すことができる。
【００３３】
Ｓ１＝｛２Ｍ−１，−（２Ｍ−１−１），２Ｍ−１−１，−（２Ｍ−１−２），…，０｝…（１）
【００３４】
この試験信号パターンＳ１を図示すると、図２に示すような信号となる。図２では、横軸に時間（離散時間）、縦軸に信号レベルを表わしている。
【００３５】
通常、デジタルオーディオ収録・再生機器の量子化ビット数Ｍは、１６〜２４ビットであるので、例えば、Ｍ＝１６とした場合は、試験信号発生手段３が発生する試験信号パターンＳ１は、（２）式のようになる。
【００３６】
Ｓ１＝｛２１５，−（２１５−１），２１５−１，−（２１５−２），…，０｝…（２）
【００３７】
なお、より簡便に試験を行う場合であれば、試験信号発生手段３で発生させる試験信号パターンには、多値のＭ系列（Ｍａｘｉｍｕｍ−Ｌｅｎｇｔｈ  Ｓｅｑｕｅｎｃｅ：最長線形符号系列）等の周期性のある擬似ランダム系列のパターンを用いてもよい。
【００３８】
デジタルオーディオ信号変調手段４は、試験信号発生手段３で発生された試験信号パターンを、オーディオインタフェースに準拠したデジタルオーディオ信号に変調するものである。例えば、ＳＰＤＩＦ、ＡＥＳ３等の一般的なオーディオインタフェースに準拠したデジタルオーディオ信号に変調する。ここで、変調された試験信号パターンのデジタルオーディオ信号は、被検査機器２に入力される。
【００３９】
デジタルオーディオ信号復調手段５は、被検査機器２から出力されるデジタルオーディオ信号（再生デジタルオーディオ信号）を復調することで、検査用のサンプルデータを生成するものである。このサンプルデータは、被検査機器２の入出力が正常であれば、試験信号パターンが繰り返されたデータとなる。ここで復調されたサンプルデータは、サンプルデータ記憶手段６に記憶される。
【００４０】
サンプルデータ記憶手段６は、デジタルオーディオ信号復調手段５で復調されたサンプルデータを記憶するものである。なお、このサンプルデータ記憶手段６は、一時的なバッファであって、後記するサンプルデータ同期手段７で同期に要する時間分サンプルデータを記憶する。
【００４１】
サンプルデータ同期手段７は、サンプルデータ記憶手段６に記憶されたサンプルデータを、試験信号発生手段３が発生させた試験信号パターンに同期させて出力するものである。このサンプルデータ同期手段７は、試験信号パターンとサンプルデータとを照合して、サンプルデータの中で最も試験信号パターンに類似するパターンをサンプルパターンとして検出する。
【００４２】
このサンプルデータ同期手段７では、試験信号パターンと最も相互相関関数（時刻ｔの関数ｙ（ｔ）とする）の値が高くなる時刻ｔを検索することでサンプルパターンを検出する。例えば、試験信号パターンの波形を時刻ｔａの関数ａ（ｔａ）とし、サンプルデータの波形を時刻ｔｂの関数ｂ（ｔｂ）としたとき、（３）式により、相互相関関数ｙ（ｔｂ）の値を求めることができる。なお、ここで上付きバーを付したａ（ｔａ）は、試験信号パターンの繰り返し周期をＴとしたときのｔａからｔａ＋Ｔまでの区間の平均を表している。
【００４３】
【数１】
2005018818.tif 000003
【００４４】
あるいは、サンプルデータ同期手段７は、試験信号パターンと残差の二乗和が最小になるパターンをサンプルパターンとして検出することとしてもよい。この場合、サンプルデータの量子化ビット値と、試験信号パターンの量子化ビット値との差をビット毎にとり、その二乗和が最小となるパターンをサンプルパターンとする。
【００４５】
そして、サンプルデータ同期手段７は、サンプルパターンの検出位置から試験信号パターンの繰り返し周期で、サンプルデータからサンプルパターンを抽出して、試験信号パターンに同期させて出力する。このサンプルデータ同期手段７では、試験信号パターンと、その試験信号パターンに同期させたサンプルパターンとをサンプルデータ比較手段８に出力する。
【００４６】
サンプルデータ比較手段８は、サンプルデータ同期手段７から、同期して入力される試験信号パターンとサンプルパターンとを比較するものである。このサンプルデータ比較手段８では、１サンプルパターン毎に、試験信号パターンとの比較を行い、パターンの一致／不一致の判定結果を出力手段９へ出力する。
【００４７】
出力手段９は、サンプルデータ比較手段８から出力される判定結果を表示データとして、外部の表示装置１０へ出力するものである。
表示装置１０は、出力手段９から出力される表示データを表示するものであって、例えばブラウン管、液晶ディスプレイ、プラズマディスプレイ、ＬＥＤディスプレイである。なお、ここでは、表示装置１０をデジタルオーディオデータ検査装置１の外部に接続したが、デジタルオーディオデータ検査装置１の内部に組み込んだ構成であってもよい。
【００４８】
以上、本発明に係るデジタルオーディオデータ検査装置１の構成について説明したが、本発明はこれに限定されるものではない。例えば、図４に示すように、ＣＤ、ＤＶＤ−Ａｕｄｉｏ等の再生機器のように再生のみが可能なデジタルオーディオ再生機器（被検査機器）２Ｂに関しては、デジタルオーディオデータ検査装置１の試験信号パターンを収録したメディア（記録媒体）ｄを作成しておき、メディアｄに収録されている試験信号パターンを再生した出力信号（デジタルオーディオ信号）をデジタルオーディオデータ検査装置１に入力することにより、デジタルオーディオ収録・再生機器２（図１参照）と同様に、デジタルオーディオ信号の出力を検査することができる。
【００４９】
なお、この場合、デジタルオーディオデータ検査装置１から、デジタルオーディオ信号変調手段４を削除したデジタルオーディオデータ検査装置１Ｂの構成（他の実施の形態）としても構わない。
【００５０】
（デジタルオーディオデータ検査装置の動作）
次に、図３を参照して、デジタルオーディオデータ検査装置１の動作について説明する。図３は、デジタルオーディオデータ検査装置１の各構成における処理と信号の流れを模式的に表した図である。
【００５１】
＜試験信号発生ステップ＞
デジタルオーディオデータ検査装置１は、まず、試験信号発生手段３によって、周期Ｔの繰り返し間隔で試験信号パターンＳ１を発生させる。この試験信号パターンＳ１は、例えば、図２に示した振幅の値が最大値から０まで１ずつ小さくなるようなパターンとする。
【００５２】
＜デジタルオーディオ信号変調ステップ＞
そして、デジタルオーディオデータ検査装置１は、この試験パターンＳ１を、デジタルオーディオ信号変調手段４によって、ＳＰＤＩＦ、ＡＥＳ３等のオーディオインタフェースに準拠したデジタルオーディオ信号Ｓ２に復調し、外部に接続された被検査機器２に入力する。
【００５３】
被検査機器２は、入力されたデジタルオーディオ信号Ｓ２を再生した再生デジタルオーディオ信号（デジタルオーディオ信号）Ｓ３をデジタルオーディオデータ検査装置１に対して出力する。なお、被検査機器２が正常に動作するものであれば、デジタルオーディオ信号Ｓ２と再生デジタルオーディオ信号Ｓ３とは同一の信号となる。
【００５４】
＜デジタルオーディオ信号復調ステップ＞
さらに、デジタルオーディオデータ検査装置１は、デジタルオーディオ信号復調手段５によって、被検査機器２から入力された再生デジタルオーディオ信号Ｓ３を復調してサンプルデータＳ４として、サンプルデータ記憶手段６に記憶する。このサンプルデータ記憶手段６に記憶されたサンプルデータＳ４は、サンプルデータ同期手段７によって順次読み出される。なお、ここでは、斜線で示した信号パターンが、試験パターンＳ１とは異なるパターン（不良パターンＢ）となっていることを表している。
【００５５】
＜サンプルデータ同期ステップ＞
そして、デジタルオーディオデータ検査装置１は、サンプルデータ同期手段７によって、試験信号発生手段３で発生させた試験信号パターンＳ１に類似する（相関の高い）パターンを、サンプルデータ記憶手段６に記憶されているサンプルデータＳ４から検索する。そして、サンプルデータ同期手段７が、類似したパターンをサンプルパターンＳ５として、試験信号パターンＳ１に同期させてサンプルデータ比較手段８へ出力する。
【００５６】
なお、同期開始時にサンプルデータＳ４に不良パターンＢが存在していても、サンプルデータ同期手段７は、相互相関関数等によって、相関の高いパターンを検索することができるので、不良パターンＢをサンプルパターンＳ５として抽出することができる。
【００５７】
＜サンプルデータ比較ステップ＞
そして、デジタルオーディオデータ検査装置１は、サンプルデータ比較手段８によって、サンプルデータ同期手段７から同期して出力される試験信号パターンＳ１とサンプルパターンＳ５とを、順次パターン単位で比較し、一致／不一致の判定結果を出力手段９に出力し、表示装置１０にその判定結果を表示させる。
【００５８】
以上の動作によって、デジタルオーディオデータ検査装置１は、被検査機器２を接続して、試験信号パターンを繰り返したデジタルオーディオ信号を被検査機器２へ出力し、被検査機器２が再生するデジタルオーディオ信号を入力することで、被検査機器２で入出力されるデジタルオーディオ信号の誤りの有無を検査することができる。
【００５９】
なお、図４に示したデジタルオーディオ信号変調手段４を構成から外したデジタルオーディオデータ検査装置１Ｂにおいては、前記したデジタルオーディオ信号変調ステップは必要としない。
【００６０】
【発明の効果】
以上説明したとおり、本発明に係るデジタルオーディオデータ検査装置及びその方法では、以下に示す優れた効果を奏する。
請求項１、請求項４又は請求項６に記載の発明によれば、ＤＡＷ、計算機等の複数の機器を用いることなく、被検査機器（デジタルオーディオ機器）がデジタルオーディオインタフェースを介してデジタルオーディオ信号を正常に入出力しているか否か、あるいはデジタルオーディオ信号が正常に収録できているか否かを、デジタルオーディオ信号のサンプル単位で検査することができる。さらに、デジタルオーディオ信号のサンプルデータの照合過程を自動化することもできる。
【００６１】
すなわち、本発明によれば、特別な付属機器を付加することなく、デジタルオーディオ機器におけるデジタルオーディオ信号の入出力検査を、検査員の経験レベルに関わらず安定した検査水準で行うことができる。
【００６２】
請求項２又は請求項３に記載の発明によれば、デジタルオーディオ機器が再生するデジタルオーディオ信号のデータから、試験信号パターンに最も類似するパターンをサンプルパターンとして同期させることができるので、検査の自動化を行うことができるとともに、デジタルオーディオ信号をサンプル単位で検査することができる。
【００６３】
請求項５に記載の発明によれば、ＣＤ、ＤＶＤ−Ａｕｄｉｏ等の再生機器のように再生のみを行うデジタルオーディオ機器であっても、予め試験信号パターンを記録媒体に記録して再生することで、デジタルオーディオ信号をサンプル単位で検査することができる。
【図面の簡単な説明】
【図１】本発明におけるデジタルオーディオデータ検査装置とその周辺部の構成を示すブロック図である。
【図２】図１に示すデジタルオーディオデータ検査装置の試験信号発生手段が発生する試験信号パターンの一例を示す図である。
【図３】本発明のデジタルオーディオデータ検査装置の処理と信号の流れを示す図である。
【図４】本発明の他の実施の形態であるデジタルオーディオデータ検査装置とその周辺部の構成を示すブロック図である。
【符号の説明】
１      デジタルオーディオデータ検査装置
１Ｂ    デジタルオーディオデータ検査装置
２      デジタルオーディオ収録・再生機器（被検査機器）
２Ｂ    デジタルオーディオ再生機器（被検査機器）
３      試験信号発生手段
４      デジタルオーディオ信号変調手段
５      デジタルオーディオ信号復調手段
６      サンプルデータ記憶手段
７      サンプルデータ同期手段
８      サンプルデータ比較手段
９      出力手段
１０    表示装置
Ｓ１    試験信号パターン
Ｓ２    デジタルオーディオ信号
Ｓ３    再生デジタルオーディオ信号
Ｓ４    サンプルデータ
Ｓ５    サンプルパターン
【図１】
2005018818.tif 000004
【図２】
2005018818.tif 000005
【図３】
2005018818.tif 000006
【図４】
2005018818.tif 000007